(57)【要約】      （修正有）【課題】扇風機の送風効果を高めることができる扇風機のフロントカバーを提供する。【解決手段】本体１０と渦状蓋部２０とを有し、その内、該本体１０は、中央に形成される収容開口１１と、扇風機の後部カバーに組み合わせるための装着リング１２と、それぞれ間隔をおいて、該装着リング１２の内周縁から中央に向かって湾曲するように延設される複数の連接リブ１３と、該連接リブ１３の内端と連結するように設けられる係合リング１４とを備える。また、前記渦状蓋部２０は、前記本体１０の収容開口１１に嵌合され、その中央に設けた、カバー部材２１と、それぞれ間隔をおいて、該カバー部２１の外周縁から渦形状に外側へ向かって延設される複数の渦状リブ２２と、その外端に設けられる外部リング２３とを備える。また、前記外部リング２３の内周面には、フック状を呈し、前記本体１０の係合リング１４と係合する複数の係合タブ２３１が後側へ向かって突設される。【選択図】図３
0003174033.tif 000002
【実用新案登録請求の範囲】
【請求項１】
中央に収容開口が形成される本体と、
該本体の収容開口に嵌合され、それぞれ間隔をおいて、中央から外側へ向かって伸びるように、複数の渦状リブが設けられる渦状蓋部とを有することを特徴とする扇風機のフロントカバー。
【請求項２】
前記本体は、装着リングと、それぞれ間隔をおいて、該装着リングの内周縁から中央に向かって延設される複数の連接リブと、該各連接リブの内端と連結するように設けられる係合リングとを備えることを特徴とする請求項１に記載の扇風機のフロントカバー。
【請求項３】
前記渦状蓋部は、中央に形成されるカバー部と、それぞれ間隔をおいて、該カバー部の外周縁から渦形状に外側へ向かって延設される前記複数の渦状リブと、該各渦状リブの外端に連結されるように設けられる外部リングとを備えることを特徴とする請求項１又は２に記載の扇風機のフロントカバー。
【請求項４】
前記外部リングの内周面に、前記本体の係合リングと係合する複数の係合タブが突設されることを特徴とする請求項３に記載の扇風機のフロントカバー。
【考案の詳細な説明】
【技術分野】
【０００１】
本考案は、扇風機の部品に関し、特に扇風機のフロントカバーに関するものである。
【背景技術】
【０００２】
図６に示すように、従来の扇風機８０は、上部に設置されるモータ８３と、該モータ８３の前側に設置される羽根カバー８２と、該羽根カバー８２の内部に位置すると共に、該モータ８３に組み合わせて駆動させる羽根８１とを有する。また、使用する時は、前記扇風機８０の電源コードのプラグをコンセントに差し込んで、スイッチをオン状態にして電源を入れれば、扇風機８０から風を送り出すことができる。
【考案の概要】
【考案が解決しようとする課題】
【０００３】
しかしながら、従来の扇風機の羽根カバーでは、送風範囲を狭くすることができなく、放射状に広く送風され、その上、該羽根カバーの前方中央にカバー部材が設けられることによって、送風を邪魔してしまうので、改良する必要があった。
【課題を解決するための手段】
【０００４】
本考案に係る扇風機のフロントカバーは、中央に収容開口が形成される本体と、該本体の収容開口に嵌合され、それぞれ間隔をおいて、中央から外側へ向かって伸びるように、複数の渦状リブが設けられる渦状蓋部とを有するものである。
【０００５】
前記本体は、装着リングと、それぞれ間隔をおいて、該装着リングの内周縁から中央に向かって延設される複数の連接リブと、該各連接リブの内端と連結するように設けられる係合リングとを備えることが好ましい。
【０００６】
前記渦状蓋部は、中央に形成されるカバー部と、それぞれ間隔をおいて、該カバー部の外周縁から渦形状に外側へ向かって延設される前記複数の渦状リブと、該各渦状リブの外端に連結されるように設けられる外部リングとを備えることが好ましい。
【０００７】
前記外部リングの内周面に、前記本体の係合リングと係合する複数の係合タブが突設されることが好ましい。
【考案の効果】
【０００８】
本考案に係る扇風機のフロントカバーは上記の如く、渦状蓋部の渦状リブによって、フロントカバーの中央から風を竜巻状に送り出すと共に、本体の連接リブによって、フロントカバーから幅広く送風することができるので、扇風機の送風効果を高めることができると共に、室内の空気を循環させる効果もある。
【図面の簡単な説明】
【０００９】
【図１】本考案に係る扇風機のフロントカバーの斜視図である。
【図２】本考案に係る扇風機のフロントカバーの正面図である。
【図３】本考案に係る扇風機のフロントカバーの分解斜視図である。
【図４】本考案に係る扇風機のフロントカバーの部分側面拡大断面図である。
【図５】本考案に係る扇風機のフロントカバーを扇風機に装着して風を送り出した時の使用状態図である。
【図６】従来の扇風機の斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図３に示すように、本考案に係る扇風機のフロントカバーは、本体１０と渦状蓋部２０とを有し、その内、該本体１０は、中央に形成される収容開口１１と、扇風機の後部カバーに組み合わせるための装着リング１２と、それぞれ間隔をおいて、該装着リング１２の内周縁から中央に向かって湾曲するように延設される複数の連接リブ１３と、該連接リブ１３の内端と連結するように設けられる係合リング１４とを備える。
【００１２】
図３及び図４に示すように、前記渦状蓋部２０は、前記本体１０の収容開口１１に嵌合され、その中央に設けられる、メーカーのロゴマークなどを標示するためのカバー部材２１と、それぞれ間隔をおいて、該カバー部２１の外周縁から渦形状に外側へ向かって延設される複数の渦状リブ２２と、該各渦状リブ２２の外端に連結されるように設けられる外部リング２３とを備える。また、前記外部リング２３の内周面には、フック状を呈し、前記本体１０の係合リング１４と係合する複数の係合タブ２３１が後側へ向かって突設される。
【００１３】
また、図４に示すように、本考案に係る扇風機のフロントカバーにおける他の実施例においても示すように、複数の連結リブ１３の外端と連結される固定リング１５を設け、脱着可能に該環着リング１５に装着リング１２を嵌め込んで固定しても構わない。
【００１４】
図５に示すように、本考案に係る扇風機のフロントカバーを扇風機Ａに装着する時は、扇風機Ａのモータ前側に後部カバーＢを設置し、該後部カバーＢの前方にモータと連動する羽根Ｃを設置し、その後、その装着リング１２により後部カバーＢの前側にフロントカバーを組み合わせれば、該フロントカバーを扇風機Ａに装着することができる。
【００１５】
また、扇風機Ａを使用する時は、扇風機Ａの電源コードにおけるプラグ部をコンセントに差し込んで電源を入れ、スイッチをオン状態にしてモータを駆動させれば、羽根Ｃを回転させて送風Ｄを発生させることができる。この時、送風Ｄは、渦状蓋部２０を通過することにより、渦状リブ２２で竜巻状となると共に、本体１０の連接リブ１３によりフロントカバーの周囲に向かって幅広く送り出すことができる。故に、本考案に係る扇風機のフロントカバーを利用すれば、扇風機Ａからの送風Ｄを強力な竜巻状にして送り出すことができると共に、送風Ｄの送り出す幅も広くなるので、扇風機Ａの送風効果を高めると共に、室内の空気を循環させることもできる。
【産業上の利用可能性】
【００１６】
本考案は上記の如く、渦状蓋部の渦状リブによって、フロントカバーの中央から風を竜巻状に送り出すと共に、本体の連接リブによって、フロントカバーから幅広く送り出すことができるので、扇風機の送風効果を高めることができると共に、室内の空気を循環させることもできる。
【符号の説明】
【００１７】
１０    本体
１１    収容開口
１２    装着リング
１３    連接リブ
１４    係合リング
１５    環着リング
２０    渦状蓋部
２１    カバー部
２２    渦状リブ
２３    外部リング
２３１   係合タブ
Ａ      扇風機
【図１】
0003174033.tif 000003
【図２】
0003174033.tif 000004
【図３】
0003174033.tif 000005
【図４】
0003174033.tif 000006
【図５】
0003174033.tif 000007
【図６】
0003174033.tif 000008